(57)【要約】【課題】ディスプレイ(平面型表示装置)の前後方向に重心位置を、キャビネットの枠体等の設置部材の端縁寄り位置させて、常に転倒防止に十分な機能を有するディスプレイ(平面型表示装置)固定用スタンドを提供すること。【解決手段】  固定台に固定される平板状のベースと、該ベースと対向する挟持片を有するスタンド固定金具とで構成する支持部と:前記ベースの中央部後端部にその下端が固定されるスタンドと、該スタンドに支持されるパイプとで構成する支柱部と:前記パイプに着脱自在に取付けられるディスプレイ側金具で構成するディスプレイ固定部とよりなり、固定台の後端寄りに支柱部を位置させ、固定台の後端寄り位置で支持することを特徴とするディスプレイ固定用スタンド。【選択図】図２
2006064757.tif 000002
【特許請求の範囲】
【請求項１】
固定台に固定される平板状のベースと、該ベースと対向する挟持片を有するスタンド固定金具とで、支持部を構成し、
前記ベースの中央部後端部にその下端が固定されるスタンドと、該スタンドに支持されるパイプとで、支柱部を構成し、
前記パイプに着脱自在に取付けられるディスプレイ側金具で、ディスプレイ固定部を構成し
支持部のベースとスタンド固定金具で固定台を上下に挟みこむことにより、固定台の後端寄りに支柱部を位置させ、支柱部およびディスプレイ固定部を介して支持されるディスプレイを、固定台の後端寄り位置で支持することを特徴とするディスプレイ固定用スタンド。
【請求項２】
パイプとディスプレイ側金具との固定位置を上下複数段に選択自在として、ディスプレイの支持位置を上下複数段に選択自在としたことを特徴とする請求項1に記載するディスプレイ固定用スタンド。
【請求項３】
支持部のベースにベースカバーを取付け、スタンドにスタンドカバー７を取付けたことを特徴とする請求項1に記載するディスプレイ固定用スタンド。
【発明の詳細な説明】
【技術分野】
【０００１】
本願発明は、ディスプレイ(平面型表示装置)をキャビネットの枠体などに取付けるスタンドに関するものである。
【背景技術】
【０００２】
従来のこの種のスタンドは、重心位置が高い位置にあるため、スタンド底面板に支柱位置の前後に十分な長さを設定して十分な底面積確保する等の転倒防止機構が必要である。
【０００３】
特許文献１(特開２００１−３４１７９号公開特許)「表示装置のスタンド」は、スタンドの底面部を可動しない第１底面部と可動する第２底面部で構成することで、通常は第２底面部を後方延出位置として底面部の有効底面積を確保し、スタンドの設置位置を壁面に隣接する場合には、第２底面部を前方寄り位置として底面部の後方寄り範囲を削除している。
【特許文献１】特開２００１−３４１７９号公開特許公報
【発明の開示】
【発明が解決しようとする課題】
【０００４】
本願発明は、ディスプレイ(平面型表示装置)の前後方向に重心位置を、キャビネットの枠体等の設置部材の端縁寄り位置させて、常に転倒防止に十分な機能を有するディスプレイ(平面型表示装置)固定用スタンドを提供することを課題とする。
【０００５】
ディスプレイ(平面型表示装置)の取付けに汎用性のあるスタンドを提供することを課題とする。
【課題を解決するための手段】
【０００６】
本発明のディスプレイ固定用スタンドは、固定台に固定される平板状のベースと、該ベースと対向する挟持片を有するスタンド固定金具２とで、支持部Aを構成し、前記ベースの中央部後端部にその下端が固定されるスタンド３と、該スタンド３に支持されるパイプ４とで、支柱部Bを構成し、パイプ４に着脱自在に取付けられるディスプレイ側金具５で、ディスプレイ固定部Cを構成する。
【発明の効果】
【０００７】
本願発明は、支持部のベースとスタンド固定金具で固定台を上下に挟みことにより、支柱部（パイプ）を固定台の後端寄りに位置させて固定台に固定する。よって、ディスプレイ(平面型表示装置)を固定台の後端寄り位置で支持するものでありながら、対転倒性を良好にする効果を有する。
【０００８】
パイプとディスプレイ側金具との固定位置を上下複数段に選択自在として、ディスプレイの支持位置を上下複数段に選択自在としたことにより、支持するディスプレイについて汎用性を高める効果を有する。
【０００９】
支持部のベースにベースカバーを取付け、スタンドにスタンドカバー７を取付けることにより、安全性および装飾性を高める効果を有する。
【発明を実施するための最良の形態】
【００１０】
固定台に固定されるベース１と一対の挟持片を有するスタンド固定金具２とで、支持部Aを構成する。
【００１１】
前記ベース1の中央部後端部にその下端が固定されるスタンド３と、該スタンド３に支持されるパイプ４とで、支柱部Bを構成する。
【００１２】
パイプ４に着脱自在に取付けられるディスプレイ側金具５で、ディスプレイ固定部Cを構成する。ディスプレイ側金具５のフック部５１をパイプ４にひっかけて任意の高さにあわせてねじ等で固定する。
【００１３】
支持部Aのベース1にベースカバー6 を、支柱部Bのスタンド3 にスタンドカバー７をそれぞれかぶせる。パイプ４の両端にパイプエンド８を取付ける。
【００１４】
ディスプレイ(平面型表示装置)にディスプレイ側金具をねじ等で任意の位置に固定する。
【実施例】
【００１５】
以下添付図面に示す実施例にもとづいて、本発明を詳細に説明する。
【００１６】
図１および図２を参照して、本発明のディスプレイ固定用スタンドは、固定台に固定される支持部Aと、該支持部Aの中央部後端部より直立する支柱部Bと、ディスプレイ固定部Cとで構成する。
【００１７】
支持部Aは、固定台に固定される平板状のベース1と、該ベース1と対向する左右一対の挟持片20を有するスタンド固定金具２とで構成する。
【００１８】
支柱部Bは、前記ベース1の中央部後端部にその下端が固定されるスタンド３と、該スタンド３に支持されるパイプ４とで構成する。パイプ４はスタンド３の側壁31の孔32を貫通させたのち、パイプ固定ねじ３３で固定する。
【００１９】
支持部Aのベース1にベースカバー6 を、スタンド3 にスタンドカバー７をそれぞれかぶせる。パイプ４の両端にパイプエンド８を取付ける。
【００２０】
ディスプレイ固定部Cは、パイプ４に着脱自在に取付けられるディスプレイ側金具５で構成する。
【００２１】
図３を参照して、ディスプレイ側金具５の裏面に複数個のフック部５１を形成する。複数個のフック部５１はバイプ４と係脱自在とし、選択されたフック部５１をパイプ４にひっかけて、ディスプレイ側金具５を任意の高さにあわせたのち、ねじ等５２により固定する。ディスプレイ側金具５をパイプ４に固定作業は、フック部５１のねじ等５２による固定のみで完了する。  
図４ないし図６は、使用するフック部５１の選択によるディスプレイ(平面型表示装置)１０の高さ位置の変化を示し、図４は高位置、図５は中位置、図６は低位置である。
【００２２】
ディスプレイ(平面型表示装置)１０にディスプレイ側金具５をねじ等５４で任意の位置に固定する。ねじ等５４用の穴５３は複数個設けて任意の位置に取付可能とする。
【００２３】
フック部５１とねじ等５４用の穴５３とは同軸上に位置していない（オフセットしている）ので、ねじ孔が干渉しないように設定できるので汎用性に富む。
【００２４】
本発明のディスプレイ固定用スタンドにより支持されるディスプレイ１０としては、電子機器(ＴＶ・マイコン等)の液晶表示装置(薄型ディスプレイ)の他、展示会場、商店における商品拡販のための商品説明記載板、電子表示装置を適用することもできるものである。
【００２５】
図７は、支持部Ａを固定台に固定した状態を示し、支持部のベース１とスタンド固定金具２で固定台（枠体）９を上下に挟みこむことにより、固定台（枠体）９の後端寄りに支柱部を位置させて、本発明のディスプレイ固定用スタンドを固定台に固定する。
【００２６】
上記の支持部Ａを固定台（枠体）９に固定するにあたっては、図７を参照して、締付けねじ１1および固定ねじ１２を使用する。即ち、スタンド固定金具２の固定板２１のねじ孔に螺合する締付けねじ１1と、スタンド３に形成した縦長のガイド孔１３を貫通する固定ねじ１２に設け、スタンド固定金具２は、図８の実線位置に示す上方位置と、図８の仮想線位置および図９に示す下方位置との間で上下調整自在とする。
【００２７】
固定台への取付にあたっては、図８の状態より、締付けねじ１1の回動によりスタンド固定金具２を上昇させて、図７の固定位置とし、固定ねじ１２を介してスタンド固定金具２をスタンド３に固定する。
【００２８】
上記の実施例においては、支柱部Bのパイプ４は、スタンド３の側壁31の孔32を貫通しているので、パイプ固定ねじ３３が外れてもディスプレイは脱落しない。
【００２９】
支持部Aは、平板状のベース1と、挟持片20を有するスタンド固定金具２とによる挟み込み式の固定構造であるので、固定台（枠体）に加工の必要がなくて加工傷を生じることがない。
【図面の簡単な説明】
【００３０】
【図１】本発明の実施例を示すディスプレイ固定用スタンドの正面側の斜視図。
【図２】同じく分解斜視図。
【図３】同じく背面側の斜視図。
【図４】ディスプレイの高位置における固定状態の説明図で、a図は正面図図、b図は側面図。
【図５】ディスプレイの中位置における固定状態の説明図で、a図は正面図図、b図は側面図。
【図６】ディスプレイの低位置における固定状態の説明図で、a図は正面図図、b図は側面図。
【図７】支持部Aの縦断面図。
【図８】スタンド固定金具の上下動を示す、図７同様の支持部Aの縦断面図。
【図９】スタンド固定金具の下方位置を示す、図７同様の支持部Aの縦断面図。
【符号の説明】
【００３１】
A   支持部
B   支柱部B
C   ディスプレイ固定部
1   平板状のベース、
2  スタンド固定金具
3   スタンド、
4   パイプ
5   ディスプレイ側金具
6   ベースカバー 
7  スタンドカバー
8    パイプエンド
9     固定台(枠体)
１０    ディスプレイ(平面型表示装置)
【図１】
2006064757.tif 000003
【図２】
2006064757.tif 000004
【図３】
2006064757.tif 000005
【図４】
2006064757.tif 000006
【図５】
2006064757.tif 000007
【図６】
2006064757.tif 000008
【図７】
2006064757.tif 000009
【図８】
2006064757.tif 000010
【図９】
2006064757.tif 000011